(57)【要約】調節可能な断熱材装置（１０）は、ユーザの体温を管理するために衣服（１２）に取り付けられる。装置（１０）は、ユーザによって着用される衣服（１２）の幅に略わたって延長されるかユーザを囲う領域を減少させるために引込められるライニング（１４）を含む。装置（１０）は、ライニング（１４）に接続される延長コード（２２）および引込みコード（５４）を含む、延長された位置と引込められた位置との間でライニング（１４）を移動する制御器を有する。延長コード（２２）は、ライニング（１４）の近位端（１８）と延長グリップとの間で接続される。引込みコード（５４）は、ライニング（１４）の近位端（１８）と引込みグリップとの間で接続される。延長された位置では、ライニング（１４）はユーザの大部分を囲む。引込みグリップが引かれると、ライニング（１４）の近位端（１８）がライニング（１４）の遠位端（２０）の方向に移動される。ライニング（１４）を延長された位置に戻すためには、ユーザは延長グリップを引張り、ライニング（１４）の近位端（１８）がライニング（１４）の遠位端（２０）から遠ざけられる。
2005521801.tif 000002
【特許請求の範囲】
【請求項１】
衣服（１２）に取り付ける調節可能な断熱材装置（１０）であって、
近位端（１８）および遠位端（２０）を含み、前記遠位端（２０）が前記衣服（１２）に結合されるライニング（１４）と、
前記衣服（１２）について前記ライニング（１４）を移動する制御組立体であって、前記ライニング（１４）の近位端（１８）に接続される制御組立体とを特徴とし、
前記制御組立体が引込められた位置と延長された位置との間で前記ライニング（１４）を位置決めする、調節可能な断熱装置。
【請求項２】
前記ライニング（１４）が断熱材料であることを特徴とする、請求項１記載の調節可能な断熱装置（１０）。
【請求項３】
前記制御組立体が第１の端および第２の端を含む少なくとも一本の延長コード（２２）を特徴とし、前記少なくとも一本の延長コード（２２）の前記第１の端が前記ラインイング（１４）の前記近位端（１８）に接続される、請求項１記載の調節可能な断熱装置（１０）。
【請求項４】
前記衣服（１２）に接続される近位集合部材（２６）を更なる特徴とし、前記少なくとも一本の延長コード（２２）が前記近位集合部材（２６）を横切る、請求項３記載の調節可能な断熱装置（１０）。
【請求項５】
前記近位集合部材（２６）が円筒管であることを特徴とする、請求項４記載の調節可能な断熱装置（１０）。
【請求項６】
前記近位集合部材（２６）が少なくとも一つの輪であることを特徴とする、請求項４記載の調節可能な断熱装置（１０）。
【請求項７】
第１の径を有する第１の円筒セグメント（４２）と、
前記第１の径よりも大きい第２の径を有する第２の円筒セグメント（４４）であって、前記第１の円筒セグメント（４２）と衝合する第２の円筒セグメント（４４）を含むコード集合部材（４０）と、
前記第２の円筒セグメント（４４）の回りに巻かれる引張りコード（５０）とを更なる特徴とし、
前記少なくとも一本の延長コード（２２）が前記第２の円筒セグメント（４２）と係合することを特徴とする請求項３記載の調節可能な断熱装置（１０）。
【請求項８】
前記制御組立体が第１の端及び第２の端を含む少なくとも一本の引込みコード（５４）であることを特徴とし、前記少なくとも一本の引込みコード（５４）の前記第１の端が前記ライニング（１４）の前記近位端（１８）に接続される、請求項３記載の調節可能な断熱装置（１０）。
【請求項９】
前記衣服（１２）に接続される遠位集合部材（３４）を更なる特徴とし、前記少なくとも一本の引込みコード（５４）が前記近位端部材（３４）を横切る、請求項８記載の調節可能な断熱装置（１０）。
【請求項１０】
前記近位集合部材（３４）が円筒管であることを更なる特徴とする、請求項９記載の調節可能な断熱装置（１０）。
【請求項１１】
前記近位集合部材（３４）が少なくとも一つの輪であることを更なる特徴とする、請求項９記載の調節可能な断熱装置（１０）。
【請求項１２】
前記ライニング（１４）に接続される少なくとも一つの位置決めブラケット（３２）を更なる特徴とし、前記少なくとも一本の引込みコード（５４）が前記位置決めブラケット（３２）を横切る、請求項８記載の調節可能な断熱装置（１０）。
【請求項１３】
前記少なくとも一本の引込みコード（５４）の前記第２の端が前記少なくとも一本の延長コード（２２）の前記第２の端に接続される、請求項８記載の調節可能な断熱装置（１０）。
【請求項１４】
前記ライニング（１４）の前記近位端（１８）に取り付けられ、前記遠位端（２０）の方向に前記ライニング（１４）を交差する第１の引込みコード（５４）であって、前記近位端（１８）および前記遠位端（２０）に対して略直角な第１の引込みコード（５４）と、
前記ライニング（１４）の前記近位端（１８）に取り付けられ、前記遠位端（２０）の方向に前記ライニング（１４）を交差する第２の引込みコード（５４）であって、前記近位端（１８）および前記遠位端（２０）に対して略直角な前記第２の引込みコード（５４）であり、前記第１の引込みコード（５４）に対して略平行な第２の引込みコード（５４）と、
第１の列において前記ライニング（１４）に接続される複数の第１の支持ブラケットであって、前記第１の引込みコード（５４）が横切る第１の支持ブラケットと、
第２の列において前記ライニング（１４）に接続される複数の第２の支持ブラケットであって、前記第２の引込みコード（５４）が横切る第２の支持ブラケットとを更なる特徴とする、請求項３記載の調節可能な断熱装置（１０）。
【請求項１５】
前記ライニング（１４）が合成繊維材料であることを特徴とする、請求項１記載の調節可能な断熱装置（１０）。
【請求項１６】
ユーザの体の温度を調節する調節可能な断熱材を有する衣服であって、
シェル（１２）と、
第１の端および第２の端を含むライニング（１４）であって、前記ライニング（１４）の前記第２の端が前記シェル（１２）に接続されるライニング（１４）と、
前記ライニング（１４）を引込められた位置と延長された位置との間で再位置決めする移動手段であって、前記ライニング（１４）の前記第１の端に接続される移動手段とを特徴とする、衣服。
【請求項１７】
前記移動手段が、
第１の端および第２の端を含み、前記第２の端が前記ライニング（１４）の前記第１の端に接続される少なくとも一本の引込みコード（５４）と、
第１の端および第２の端を含み、前記第１の端が前記ライニング（１４）の前記第１の端に接続される、少なくとも一本の延長コード（２２）とを特徴とし、
前記引込みコード（５４）の未取付端が引込められると前記ライニング（１４）が引込められ、前記延長コード（２２）の未取付端が引込められると前記ライニング（１４）が延長される、請求項１６記載の衣服。
【請求項１８】
前記移動手段が、
前記衣服に取付けられる近位集合部材（２６）であって、前記各延長コード（２２）が横切る前記近位集合部材（２６）と、
前記衣服に取付けられる遠位集合部材（３４）であって、前記引込みコード（５４）が横切る前記遠位集合部材（３４）とを更なる特徴とする請求項１７記載の衣服。
【請求項１９】
前記移動手段が、
取付端および制御端を含み、前記取付端が前記ライニング（１４）の前記第１の端に取り付けられる、少なくとも一本の引込みコード（５４）と、
取付端および制御端を含み、前記取付端が前記ライニング（１４）の前記第１の端に取り付けられ、前記延長コード（２２）の前記制御端が前記引込みコード（５４）の前記制御端に取り付けられる、少なくとも一本の延長コード（２２）とを特徴とする、請求項１６記載の衣服。
【発明の詳細な説明】
【技術分野】
【０００１】
本発明は、衣服用の調節可能な断熱材装置に係わり、より特定的には、ユーザの体に追加的な暖かさを与える延長された位置とユーザの体の周りに所望の通気性を与える引っ込められた位置との間で位置決めされる衣服用の調節可能な断熱材に関わる。
【背景技術】
【０００２】
断熱された衣服は、技術において周知であり、一般的に様々な活動で人々に使用されている。例えば、ジャケットまたはベストのような断熱材衣服は、屋外での運動、スポーツ、ハイキング、ランニング、スキー、釣り、または、寒い周囲温度の中で行われる全ての様々な他の野外活動で体温を保つために運動選手によってしばしば使用される。このような衣類を着用する目的は、中心（core）の体温の損失からユーザを保護し、それによりユーザが所望の安全および快適さを維持できるようにするためである。
【０００３】
衣服が個人の体温を保存するため、これら断熱された衣服は寒い環境で個人の暖かさを維持するために重要であり、全ての人の体の熱の約９０パーセントは主要臓器および一連の筋肉を介して胴領域で生成されている。しかしながら、個人が身体運動に従事するもしくは周囲温度が上昇すると、体が生成する熱の量も増加する。所望の一定の中心温度を維持するためには、個人の体は必要に応じてこの熱を放出もしくは維持しなくてはならない。それにより、体の反応は個人を取り囲む周囲温度および湿度に大きく依存する。
【０００４】
着用者が身体運動を行うとき、衣類の選択が体を取り囲む熱を制御することを補助することが一般的に知られている。運動選手および一般公衆への最も一般的な提案の一つは、運動時または温度が著しく変動することが予想される場合には数枚の層の衣類を着ることである。数枚の層を着ることにより、ユーザは、周囲温度に適すよう必要に応じて外側の層を脱ぐことができる。皮膚に最も近い層が皮膚から汗を直接的に取り去り、各追加的な層が体によって温められる空気を捕らえてユーザを快適かつ所望の温度で維持することを補助することが好ましい。
【０００５】
重ねられた衣類は体温を制御する機会をユーザに与えるが、更なる問題も浮上させる。例えば、数枚の層の衣類を着ることによる問題の一つは、ユーザが体の中心近くで過剰の熱をしばしば維持するためユーザが不必要な層を脱ぐか過熱の危険を冒さなくてはならない。ユーザが一枚の層を脱ぐためには、ユーザは衣服をユーザの体の別の部分に取り付けてユーザの体を取り囲む熱を減少させる（例えば、衣服をユーザの腰の回りに取付ける）、または、ユーザは衣服を取り後で戻す、のいずれかを行わなくてはならない。多くの場合、ユーザにとって非常に不便であるため、衣服を管理するこれらどの選択肢もユーザにとっては望ましくない。
【０００６】
運動選手または運動選手でない人が経験した体温制御の問題を解決するために幾つかの衣服装置が開発された。例えば、米国特許第６，３２９，６３８号では、必要に応じてユーザの体を温かく維持するための加熱素子を具備するベストを提供する設計が教示されている。この複雑な設計は着用時ユーザの体を過熱させ、さらに一旦加熱素子が使用されると冷めるのが困難であることは明らかである。同様に、米国特許第６，１８９，１４９号は、熱パックを挿入するポケットを有するベストの使用を教示する。この設計においても、人の胴を暖める便利な手段を提供する一方でユーザを冷ます手段は提供されていない。
【０００７】
したがって、従来技術においてはない、衣服内またはその近傍に調節可能な断熱材を設ける装置を提供することが望ましい。このような断熱材は、ユーザの胴を実質的に取り囲んで熱を維持する広げられた状態に位置決めされてもよく、または、広げられた位置からユーザの活動を邪魔しないコンパクトな位置に引込まれてもよい。
【０００８】
発明の概要
本発明は、ユーザの体温を制御するために衣服に取り付けられる調節可能な断熱材を提供することを目的とする。
【０００９】
本発明は、延長された位置と引込められた位置との間で移動する衣服に取り付けられる調節可能な断熱材を提供することを更なる目的とする。
【００１０】
本発明は、延長された位置と引込められた位置との間で調節可能な断熱材を簡単に移動する手段を提供することを更なる目的とする。
【００１１】
本発明は、ユーザの保護外側層を除去することなく気候条件に基づいてユーザの体温を調整することをユーザに可能にさせることを更なる目的とする。
【００１２】
本発明は、環境的影響力に対して本発明のユーザの露出を最小化することを更なる目的とする。
【００１３】
本発明の前記および他の目的は、ユーザの中心熱（core body heat）を制御する手段を提供する、衣服に取り付けられる調節可能な断熱装置を通じて達成される。調節可能な断熱材装置は、衣服の略全幅にわたって延長され、且つ、引込められるか圧縮されるライニングを含む。延長された位置では、ライニングはユーザの胴の部分を実質的に囲み、ライニングがユーザの胴からの中心熱を維持することについてユーザを補助する。ライニングが引込められた位置にあると、ユーザを囲う面積を減少させるために一箇所に長手軸方向に圧縮される。それにより熱はユーザの体から分散され、ユーザの体の中心熱が所望のレベルにまで下げられる。
【００１４】
調節可能な断熱材装置は、延長された位置と引込められた位置との間でライニングを簡単に移動する制御組立体をさらに含む。制御組立体は、ライニングの近位端に全て取り付けられる複数の延長コードおよび複数の引込みコードを含むことが好ましく、このとき延長コードは対応する引込みコードに対向して位置決めされる。各延長コードの一端はライニングの近位端に接続され、延長コードはライニングから集合部材にまで延在し、各延長コードは集合部材を横切って延長グリップと接続される。同様にして、引込みコードも実質的にライニングの近位端に取り付けられ、各引込みコードはライニングの近傍まで延在し、集合部材と合わされる。各引込みコードが集合部材を横切って引込みグリップと接続される。
【００１５】
好ましい実施形態の動作において、ライニングは最初延長された位置にあり、ライニングがユーザの胴の大部分にわたって広げられ、延長コードは集合部材から垂れている。この位置において、ライニングはユーザの中心熱を所望のレベルで維持することを補助する。しかしながら、ユーザが熱を幾らか放出する必要があるとき、ユーザは引込みグリップを引張る。引込みグリップを引張ることで、ライニングの近位端はライニングの遠位端の方向に移動される。その結果、ライニングは一箇所に圧縮され、ライニングはユーザを実質的に囲まなくなる。ライニングを延長された位置に戻すためには、ユーザは延長グリップを引張り、ライニングの近位端はライニングの遠位端から遠ざけられる。ライニングは、再びユーザの胴の回りに広げられる。
【００１６】
本発明の前記および他の目的および利点は、調節可能な断熱材装置の好ましい実施形態の以下の詳細な説明から明らかとなるであろう。
【００１７】
発明を実施するための最良の形態
本発明の特徴を具現化する調節可能な断熱材装置は、本開示の一部を構成する添付の図面に示される。
【００１８】
本発明をよりよく理解するために図１乃至４を参照するに、本発明の調節可能な断熱材装置１０はベストまたはジャケットのような衣服１２または織物シェルの両側に取り付けられている。調節可能な断熱材装置１０は、ユーザの中心体温を制御する手段を提供するために衣服１２に取り付けられている。好ましい実施例では、２つの異なるバージョンの調節可能な断熱材装置１０が衣服１２の両側に取り付けられ、各調節可能な断熱材装置１０はライニング１４を含む。その結果、衣服１２の略全幅（図１、２、および３に示す）にわたってライニング１４が延長されるよう、または、ライニング１４が引込められ圧縮される（図４に示す）ようにライニング１４が衣服１２に繋げられる。延長された位置では、ライニング１４がユーザの胴からの中心熱を保つ補助をするようライニング１４はユーザの胴を実質的に囲う。その反対に、ライニング１４が引込められた位置にあるとき、ライニング１４は一箇所に長手軸方向に圧縮され、ライニング１４がユーザを覆う面積が著しく減少される。それにより熱は、ユーザの体から分散されることが可能となり、ユーザの体の中心熱は所望のレベルにまで下げられる。
【００１９】
図５および図６を参照するに、調節可能な断熱材装置１０のライニング１４は簡単に広げられるか圧縮されるよう柔軟な一連のバッフル断熱材パネル１６を含む。ライニング１４は好ましくは近位端１８および遠位端２０を有する長方形の断熱材料であるが、ライニング１４はユーザが望むどの形状でもよい。さらに、ライニング１４はユーザが望む特性を有するどの自然または合成材料でもよく、好ましい実施例では、登録商標ＰＯＬＡＲＧＵＡＲＤ(登録商標)として一般的に公知の合成材料よりなる。
【００２０】
図３乃至図６を参照するに、調節可能な断熱材装置１０は、さらに延長された位置（図３および図５に示す）と引込められた位置（図４および図６に示す）との間でライニング１４を移動または摺動する手段として制御組立体を含む。好ましい実施例では、制御組立体は、複数の延長コード２２と複数の引込みコード２４とを含む。延長コード２２と引込みコード２４の両方ともユーザが望む特性を有する全ての自然または合成材料よりなり、好ましい実施例では、登録商標ＤＹＮＥＥＭＡ（登録商標）として一般的に公知の合成材料よりなる。図５および図６を特に参照するに、延長コード２２および引込みコード２４の両方ともライニング１４の近位端１８に取り付けられ、延長コード２２は対応する引込みコード２４に向かって位置決めされる。
【００２１】
好ましい実施例では、各延長コード２２の一端はライニング１４の近位端１８に接続され、ライニング１４から近位集合部材２６まで延在される。図６および図１０ａを参照するに、延長コード２２は近位集合部材２６と合わされ、近位集合部材２６を横切って延長グリップ２８と接続される。近位集合部材２６は、衣服１２に接続されることが好ましく、接続は衣服１２に縫い付けられるか糊付けされる等の技術において公知の多数の方法で完成され得る。近位集合部材２６は、ユーザの要望どおりに様々な延長コード２２を集合する機能を担う。さらに、好ましい実施例の近位集合部材２６は円筒であるが、輪、ブラケット、メッシュ布、または関連する装置のように延長コード２２を集合するための他の実施形態が図６に示す実施形態の代わりに使用されてもよいことに注意する。
【００２２】
図３、５、７、および８を参照するに、引込みコード２４もライニング１４の近位端１８に実質的に取り付けられる。しかしながら、延長コード２４と違って、本設計の好ましい実施例では各側の略同じ位置においてライニング１４の両側に取り付けられる２本の引込みコード２４を含み、各引込みコード２４はライニング１４の反対側にわたっている。引込みコード２４は、夫々の点でライニング１４と交差するか、図１１に示すようにライニング１４に取り付けられる位置決めブラケット３２またはループを通される。好ましい実施例では、位置決めブラケット３２は各引込みコード２４が他方の対応する引込みコード２４に対して略平行であることを確認し、ライニング１４が均等に引込められることを確実にする。引込みコード２４はさらにライニング１４から延在され、遠位集合部材３４（図８または１０ｂを参照）と合わされる。それにより引込みコード２４は遠位集合部材３４と合わされ、遠位集合部材３４を横切って引込みグリップ３６と接続される。遠位集合部材３４は、衣服１２と一体であることが好ましく、ユーザの要望どおりに様々な引込みコード２４を集合する機能を担う。さらに、近位集合部材２６で上述したように、遠位集合部材３４の好ましい実施例は円筒管であるが、様々な独立した輪、ブラケットまたはメッシュのようなコードを集合するための他の実施例が図６に示す実施例の代わりに使用されてもよいことに注意する。
【００２３】
本実施例の動作において、最初ライニング１４は、ライニング１４がユーザの胴の周りに実質的に広げられ、延長コード２２が近位集合部材２６から垂れるように延長された位置にある。この位置において、ライニング１４は熱をユーザの近くで維持することを助けるため、寒い周囲環境においてユーザの中心熱を所望のレベルで維持する。しかしながら、ユーザが幾らかの熱を放出する必要があるとき、ユーザは引込みグリップ３６を引張る。図５に示すように引込みグリップ３６を引張ることでライニング１４の近位端１８は遠位端２０の方向に移動され延長コード２２は引力の方向に移動される。その結果、ライニング１４は図６に示すように一箇所に圧縮され、ライニング１４はユーザと最小限に合わされ、囲む。ライニング１４の引込められたパネル１６は、ユーザの腕の下または後ろ等ユーザの腕の近くで目立たないよう位置決めされることが好ましい。ライニング１４はしたがって衣服１２を通って熱が放出されることを妨げる位置にはないため、ユーザの中心熱が下げられる。
【００２４】
ライニング１４を延長された位置に戻すためには、ユーザは延長グリップ２８を引張るだけである。この時点で、ライニング１４の近位端１８はライニング１４の遠位端２０から遠ざけられ、ライニング１４はユーザの胴の大部分の周りに再び広げられる。さらに、引込みコード２４が引力の方向に移動される。
【００２５】
図９ａおよび９ｂを参照するに、調節可能な断熱材装置１０は延長コード２２または引込みコード２４のいずれかの緩んだラインを制御するために延長グリップ２８または引込みグリップ３６の代わりにコード集合部材４０を追加的に含んでもよい。コード集合部材４０は、第１の円筒セグメント４２および第２の円筒セグメント４４を含む集合シリンダ４１を有することが好ましく、集合シリンダ４１はブラケット４８内でシャフト４６に回転可能に取り付けられる。コード集合部材４０の第１の円筒セグメント４２は第２の円筒セグメント４４と衝合し、第１の円筒セグメント４２は第１の径を有し、第２の円筒セグメント４４は第２の径を有する。第２の円筒セグメント４４の径は、第１の円筒セグメント４２の径よりも実質的に大きい（図９ｂ参照）。引張りコード５０は集合シリンダ４１に接続され、第２の円筒セグメント４４の回りに巻かれる。延長または引込みコード２２、２４が第１の円筒セグメント４２上で巻きつけられるよう延長コード２２または引込みコード２４のいずれか一方が集合シリンダ４１に取り付けられる（図９ａ参照）。そのため、ユーザは引張りコード５０を引込めて緩んだ延長または引込みコード２２、２４を第２の円筒セグメント４４の回りに巻くことができる。さらに、第１の円筒セグメント４２の回りにコードを巻き付けることで衣服１２から垂れる全てのコードの緩みを減らすことができる。第１の円筒セグメントの径が第２の円筒セグメント４４のそれよりも小さいため、コードは引張りコード５０が第１の円筒セグメント４２から解かれるより早く第２の円筒セグメント４２に巻き付けられる。
【００２６】
上述の制御組立体の第１の実施例に加えて、他の同様の実施例も予想できるであろう。例えば、第２の実施例は図１２ａおよび１２ｂに示され、ここでは制御組立体は一連の延長コード５２と同じ数の引込みコード５４を有する。本実施例では、前述の実施例のように延長コード５２および引込みコード５４の未取付端が存在する代わりに、延長コード５２がそれぞれの引込みコード５４に接続される。延長コード５２と引込みコード５４との間の接続により、コード５２、５４のある部分５６が衣服１２の外側に延在しユーザによって制御され得る。したがって、一回の引張り運動により、両方の組のコード５２、５４が調節されてライニング１４が延長された位置と引込められた位置との間で移動される。さらに重要なことには、延長コード５２を引込みコード５４に接続することで、ユーザは、延長コード５２および引込みコード５４の緩みおよび未取付端の問題を有することなくライニング１４を調節することができる。
【００２７】
さらに、好ましい実施例で示す衣服１２はベストであるが、本発明は基本的に全ての他のタイプの衣服と一緒にまたはそれにおいて使用され得る。内側シェルおよび外側シェルを有する衣服１２において調節可能な断熱材装置１０が内側シェルと外側シェルとの間で衣服１２に組み込まれてもよいことに注意する。この場合、ライニング１４は内側シェルと外側シェルとの間に挟まれる。反対に、ライニング１４は衣服１２の製造業者が望めばいずれか一方のシェルに取付けられてもよい。さらに、調節可能な断熱材装置１０は調節可能な断熱材装置１０を衣服１０の内表面に単に取り付けることで既存の衣服１２に追加できる。
【００２８】
新規で便利な調節可能な断熱材装置の本発明の特定の実施例を説明したが、添付の特許請求の範囲に定める以外では本発明の範囲を定めるものとして解釈されない。
【図面の簡単な説明】
【００２９】
【図１】調節可能な断熱材装置の一部分を隠れ線で示す、調節可能な断熱材装置を有する衣服の正面図である。
【図２】調節可能な断熱材装置の一部分を隠れ線で示す、調節可能な断熱材装置を有する衣服の背面図である。
【図３】延長された位置において調節可能な断熱材装置が隠れ線で示す衣服に取り付けられる、本発明の調節可能な断熱材装置の正面斜視図である。
【図４】調節可能な断熱材装置が引込められた位置にある図３に示す装置の正面斜視図である。
【図５】ライニングが延長された位置にある本発明の正面斜視図である。
【図６】ライニングが引込められた位置にある本発明の正面斜視図である。
【図７】ライニングが延長された位置にある本発明の背面斜視図である。
【図８】ライニングが引込められた位置にある本発明の背面斜視図である。
【図９】図９ａおよび図９ｂは、コード集合部材の拡大図である。
【図１０】図１０ａおよび図１０ｂは、本発明の集合部材との延長コードおよび引込みコードの交点の拡大斜視図である。
【図１１】本発明の位置決めブラケットの拡大斜視図である。
【図１２】図１２ａおよび図１２ｂは、本発明の調節可能な断熱材装置の第２の実施例の正面図である。
【図１】
2005521801.tif 000003
【図２】
2005521801.tif 000004
【図３】
2005521801.tif 000005
【図４】
2005521801.tif 000006
【図５】
2005521801.tif 000007
【図６】
2005521801.tif 000008
【図７】
2005521801.tif 000009
【図８】
2005521801.tif 000010
【図９ａ】
2005521801.tif 000011
【図９ｂ】
2005521801.tif 000012
【図１０ａ】
2005521801.tif 000013
【図１０ｂ】
2005521801.tif 000014
【図１１】
2005521801.tif 000015
【図１２ａ】
2005521801.tif 000016
【図１２ｂ】
2005521801.tif 000017
【手続補正書】
【提出日】平成15年10月8日(2003.10.8)
【手続補正１】
【補正対象書類名】特許請求の範囲
【補正対象項目名】全文
【補正方法】変更
【補正の内容】
【特許請求の範囲】
【請求項１】
衣服に取り付ける調節可能な断熱装置であって、
近位端および遠位端を含み、前記遠位端が前記衣服に結合されるライニングと、
前記衣服について前記ライニングを移動する制御組立体であって、前記ライニングの前記近位端に接続される制御組立体とを有し、
前記制御組立体が非断熱位置と断熱位置との間で前記ライニングを位置決めする、調節可能な断熱装置。
【請求項２】
前記ライニングが断熱材料である、請求項１記載の調節可能な断熱装置。
【請求項３】
前記制御組立体が第１の端および第２の端を含む少なくとも一本の延長コードを有し、前記少なくとも一本の延長コードの前記第１の端が前記ライニングの前記近位端に接続される、請求項１記載の調節可能な断熱装置。
【請求項４】
前記衣服に接続される近位集合部材を更に有し、前記少なくとも一本の延長コードが前記近位集合部材を横切る、請求項３記載の調節可能な断熱装置。
【請求項５】
前記近位集合部材が管である、請求項４記載の調節可能な断熱装置。
【請求項６】
前記近位集合部材が少なくとも一つの輪である、請求項４記載の調節可能な断熱装置。
【請求項７】
第１の径を有する第１の円筒セグメントと、
前記第１の径よりも大きい第２の径を有する第２の円筒セグメントであって、前記第１の円筒セグメントと衝合する第２の円筒セグメントを含むコード引込みシリンダと、
前記第２の円筒セグメントの回りに巻かれる引張りコードとを更に有し、
前記少なくとも一本の延長コードが前記第１の円筒セグメントと係合する、請求項３記載の調節可能な断熱装置。
【請求項８】
前記制御組立体が第１の端及び第２の端を含む少なくとも一本の引込みコードを有し、前記少なくとも一本の引込みコードの前記第１の端が前記ライニングの前記近位端に接続される、請求項３記載の調節可能な断熱装置。
【請求項９】
前記衣服に接続される遠位集合部材を更に有し、前記少なくとも一本の引込みコードが前記遠位端部材を横切る、請求項８記載の調節可能な断熱装置。
【請求項１０】
前記遠位集合部材が管である、請求項９記載の調節可能な断熱装置。
【請求項１１】
前記遠位集合部材が少なくとも一つの輪である、請求項９記載の調節可能な断熱装置。
【請求項１２】
前記ライニングに接続される少なくとも一つの位置決めブラケットを更に有し、前記少なくとも一本の引込みコードが前記位置決めブラケットを横切る、請求項８記載の調節可能な断熱装置。
【請求項１３】
前記少なくとも一本の引込みコードの前記第２の端が前記少なくとも一本の延長コードの前記第２の端に接続される、請求項８記載の調節可能な断熱装置。
【請求項１４】
前記ライニングの前記近位端に取り付けられ、前記遠位端の方向に前記ライニングを交差する第１の引込みコードであって、前記近位端および前記遠位端に対して略直角な第１の引込みコードと、
前記ライニングの前記近位端に取り付けられ、前記遠位端の方向に前記ライニングを交差する第２の引込みコードであって、前記近位端および前記遠位端に対して略直角な前記第２の引込みコードであり、前記第１の引込みコードに対して略平行な第２の引込みコードと、
第１の列において前記ライニングに接続される複数の第１の支持ブラケットであって、前記第１の引込みコードが横切る第１の支持ブラケットと、
第２の列において前記ライニングに接続される複数の第２の支持ブラケットであって、前記第２の引込みコードが横切る第２の支持ブラケットとを有する、請求項３記載の調節可能な断熱装置。
【請求項１５】
前記ライニングが合成繊維材料である、請求項１記載の調節可能な断熱装置。
【請求項１６】
ユーザの体の温度を調節する調節可能な断熱材を有する衣服であって、
シェルと、
第１の端および第２の端を含むライニングであって、前記ライニングの前記第２の端が前記シェルに接続されるライニングと、
前記ライニングを引込められた位置と延長された位置との間で再位置決めする移動手段であって、前記ライニングの前記第１の端に接続される移動手段とを有する、衣服。
【請求項１７】
前記移動手段が、
第１の端および第２の端を含み、前記第２の端が前記ライニングの前記第１の端に接続される少なくとも一本の引込みコードと、
第１の端および第２の端を有し、前記第１の端が前記ライニングの前記第１の端に接続される少なくとも一本の延長コードとを有し、
前記引込みコードの未取付端が引込められると前記ライニングが引込められ、前記延長コードの前記未取付端が引込められると前記ライニングが延長される、請求項１６記載の衣服。
【請求項１８】
前記移動手段が、
前記衣服に取付けられる近位集合部材であって、前記延長コードが横切る近位集合部材と、
前記衣服に取付けられる遠位集合部材であって、前記引込みコードが横切る遠位集合部材とを更に有する、請求項１７記載の衣服。
【請求項１９】
前記移動手段が、
取付端および制御端を含み、前記取付端が前記ライニングの前記第１の端に取り付けられる、少なくとも一本の引込みコードと、
取付端および制御端を含み、前記取付端が前記ライニングの前記第１の端に取り付けられ、延長コードの前記制御端が前記引込みコードの前記制御端に取り付けられる、少なくとも一本の延長コードとを有する、請求項１６記載の衣服。
【請求項２０】
アイテムに取り付けられる調節可能な断熱装置であって、
近位端および遠位端を含み、前記遠位端が前記アイテムに結合される断熱材料と、
前記アイテムを実質的に囲む断熱位置と、前記アイテムの一部分に接する非断熱位置との間で前記ライニングを再位置決めする移動手段であって、前記断熱材料の第１の端に接続される移動手段と有する調節可能な断熱装置。
【請求項２１】
前記移動手段が第１の端および第２の端を有する少なくとも一本の延長コードを有し、前記少なくとも一本の延長コードの前記第１の端が前記断熱材料の前記近位端に接続される、請求項２０記載の調節可能な断熱装置。
【請求項２２】
前記移動手段が第１の端および第２の端を含む少なくとも一本の引込みコードを有し、前記少なくとも一本の引込みコードの前記第１の端が前記ライニングの前記近位端に接続される、請求項２０記載の調節可能な断熱装置。
【請求項２３】
前記移動手段が、
前記断熱材料の前記近位端に取り付けられ、前記遠位端の方向に前記断熱材料を交差する第１の引込みコードであって、前記近位端および前記遠位端に対して略直角な第１の引込みコードと、
前記ライニングの前記近位端に取り付けられ、前記遠位端の方向に前記ライニングを交差する第２の引込みコードであって、前記近位端および前記遠位端に対して略直角な前記第２の引込みコードであり、前記第２の引込みコードが前記第１の引込みコードに対して略平行な第２の引込みコードと、
第１の列において前記ライニングに接続される複数の第１の支持ブラケットであって、前記第１の引込みコードが横切る複数の第１の支持ブラケットと、
第２の列において前記ライニングに接続される複数の第２の支持ブラケットであって、前記第２の引込みコードが横切る複数の第２の支持ブラケットとを更に有する、請求項２０記載の調節可能な断熱装置。
【手続補正書】
【提出日】平成16年11月30日(2004.11.30)
【手続補正１】
【補正対象書類名】特許請求の範囲
【補正対象項目名】全文
【補正方法】変更
【補正の内容】
【特許請求の範囲】
【請求項１】
シェルに取付けられる調節可能なライニング装置であって、
近位端および遠位端を含み、前記遠位端が前記シェルに結合されるライニングと、
前記遠位端から前記シェルに実質的に沿って配置される被覆位置と、前記遠位端の近傍で前記シェルの小部分にわたって配置される露出位置との間で前記ライニング材料を再位置決めする移動手段であって、前記ライニングの近位端に接続される移動手段とを有する装置。
【請求項２】
前記移動手段が第１の端および第２の端を含む少なくとも一本の延長コードを有し、前記少なくとも一本の延長コードの前記第１の端が前記ライニングの前記近位端に接続される、請求項１記載の装置。
【請求項３】
前記移動手段が第１の端および第２の端を含む少なくとも一本の引込みコードを有し、前記少なくとも一本の引込みコードの前記第１の端が前記ライニングの前記近位端に接続される、請求項１記載の装置。
【請求項４】
前記移動手段が、
前記断熱材料の前記近位端に取り付けられ、前記遠位端の方向に前記断熱材料を交差する第１の引込みコードであって、前記近位端および前記遠位端に対して略直角な第１の引込みコードと、
前記ライニングの前記近位端に取り付けられ、前記遠位端の方向に前記ライニングを交差する第２の引込みコードであって、前記近位端および前記遠位端に対して略直角な前記第２の引込みコードであり、前記第１の引込みコードに対して略平行な第２の引込みコード、
第１の列において前記ライニングに接続される複数の第１の支持ブラケットであって、前記第１の引込みコードが横切る複数の第１の支持ブラケットと、
第２の列において前記ライニングに接続される複数の第２の支持ブラケットであって、前記第２の引込みコードが横切る複数の第２の支持ブラケットとを更に有する、請求項１記載の装置。
【請求項５】
前記ライニングが通気性である、請求項１記載の装置。
【請求項６】
前記ライニングが断熱性である、請求項１記載の装置。
【請求項７】
前記ライニングが防水である、請求項１記載の装置。
【請求項８】
柔軟な構造において、
近位端および遠位端を含み、前記遠位端が前記構造に結合されるライニングと、
前記構造の一部分に実質的に合わされる被覆位置と、前記被覆位置よりも前記構造のより小さい部分を被覆する露出位置との間で前記ライニング材料を選択的に再位置決めする移動手段であって、前記ライニングの近位端に接続される移動手段とを有する調節可能なライニング装置の改善。
【請求項９】
前記移動手段が第１の端および第２の端を含む少なくとも一本の延長コードを有し、前記少なくとも一本の延長コードの前記第１の端が前記ライニングの前記近位端に接続される、請求項８記載の装置。
【請求項１０】
前記移動手段が第１の端および第２の端を含む少なくとも一本の引込みコードを有し、前記少なくとも一本の引込みコードの前記第１の端が前記ライニングの前記近位端に接続される、請求項８記載の装置。
【請求項１１】
前記移動手段が、
前記ライニングの前記近位端に取り付けられ、前記遠位端の方向に前記ライニングを交差する第１の引込みコードであって、前記近位端および前記遠位端に対して略直角な第１の引込みコードと、
前記ライニングの前記近位端に取り付けられ、前記遠位端の方向に前記ライニングを交差する第２の引込みコードであって、前記近位端および前記遠位端に対して略直角な前記第２の引込みコードであり、前記第１の引込みコードに対して略平行な第２の引込みコードと、
第１の列において前記ライニングに接続される複数の第１の支持ブラケットであって、前記第１の引込みコードが横切る複数の第１の支持ブラケットと、
第２の列において前記ライニングに接続される複数の第２の支持ブラケットであって、前記第２の引込みコードが横切る複数の第２の支持ブラケットとを更に有する、請求項８記載の装置。
【請求項１２】
前記ライニングが通気性である、請求項８記載の装置。
【請求項１３】
前記ライニングが断熱性である、請求項８記載の装置。
【請求項１４】
前記ライニングが防水である、請求項８記載の装置。
【請求項１５】
少なくとも一枚の層の織物よりなる織物構造であって、
改善は、近位側および遠位側を含み、前記遠位側が所定の位置において前記少なくとも１枚の層の織物に取り付けられる、前記遠位側付近で第２の層を選択的に集合する、第２の層の織物と、前記第２の層が前記第１の層と略連続的に衝合したまま前記第１の層に対して前記第２の層を集合し移動する、前記近位側に取り付けられる手段とを有する、織物構造。
【請求項１６】
前記集合手段が第１の端および第２の端を含む少なくとも一本の延長コードを有し、前記少なくとも一本の延長コードの前記第１の端が前記ライニングの前記近位端に接続される、請求項１５記載の織物構造。
【請求項１７】
前記集合手段が第１の端および第２の端を含む少なくとも一本の引込みコードを有し、前記少なくとも一本の引込みコードの前記第１の端が前記ライニングの前記近位端に接続される、請求項１５記載の織物構造。
【請求項１８】
前記移動手段が、
前記ライニングの前記近位端に取り付けられ、前記遠位端の方向に前記ライニングを交差する第１の引込みコードであって、前記近位端および前記遠位端に対して略直角な第１の引込みコードと、
前記ライニングの前記近位端に取り付けられ、前記遠位端の方向に前記ライニングを交差する第２の引込みコードであって、前記近位端および前記遠位端に対して略直角な前記第２の引込みコードであり、前記第１の引込みコードに対して略平行な第２の引込みコードと、
第１の列において前記ライニングに接続される複数の第１の支持ブラケットであって、前記第１の引込みコードが横切る複数の第１の支持ブラケットと、
第２の列において前記ライニングに接続される複数の第２の支持ブラケットであって、前記第２の引込みコードが横切る複数の第２の支持ブラケットとを有する、請求項１５記載の織物構造。
【請求項１９】
前記第２の層の織物は通気性である、請求項１５記載の織物構造。
【請求項２０】
前記第２の層の織物は防水である、請求項１５記載の織物構造。
【国際調査報告】
2005521801.tif 000018